(57)【要約】【課題】アナログディジタル混載メータ中のディジタル表示部による違和感を除去し、高級感のあるアナログディジタル混載メータを提供する。【解決手段】アナログディジタル混載メータに含まれる文字板５１は黒色ベースであり、ＬＣＤ４１の背景色も黒色であり、更に表ガラス８がスモーク化されているので、このメータ中でＬＣＤ４１が配置されていることが全くわからない。これによりメータ中のＬＣＤ４１による違和感が除去される。また、黒色中で光輝するバー意匠４１ｃ、４１ｄや中抜意匠５１ａ、５１ｂは、光輝する指針と同様の立体感を呈する。これにより、アナログ表示部と同様の立体感が生じる。【選択図】      図２
2004333362.tif 000002
【特許請求の範囲】
【請求項１】
文字板と、この文字板に形成された所定の意匠を回動する指針にて指示することにより所定のアナログ表示を行うアナログ表示部と、所定の表示セグメントに電気信号を与えることによりこの表示セグメントが点灯して所定のディジタル表示を行う平板状のディジタル表示部と、を備えたアナログディジタル混載メータであって、
前記ディジタル表示部の背景色を前記文字板の色と同系色にした、
ことを特徴とするアナログディジタル混載メータ。
【請求項２】
請求項１記載のアナログディジタル混載メータにおいて、
前記ディジタル表示部の背景色及び前記文字板は共に、黒色系であり、
前記ディジタル表示部及び前記文字板の前面には、表ガラスとしての黒色系のスモークガラスが覆設されている、
ことを特徴とするアナログディジタル混載メータ。
【請求項３】
請求項１又は２記載のアナログディジタル混載メータにおいて、
前記ディジタル表示部は、非点灯時は前記背景色と同系色であるが、点灯時には前記背景色とは異系色で発光する、前記表示セグメントとしてのバー意匠を有する、
ことを特徴とするアナログディジタル混載メータ。
【請求項４】
請求項３記載のアナログディジタル混載メータにおいて、
前記文字板には、前記バー意匠に関連する中抜意匠が形成され、
前記ディジタル表示部には、この表示部の背面に配置された光源からの光を前記中抜意匠に向けて透過させる透過窓が設けられている、
ことを特徴とするアナログディジタル混載メータ。
【請求項５】
請求項３又は４記載のアナログディジタル混載メータにおいて、
前記文字板と前記ディジタル表示部の表面との間には、わずかな隙間が形成されている、
ことを特徴とするアナログディジタル混載メータ。
【請求項６】
アナログディジタル混載メータに用いられるディジタル表示装置であって、
前記メータに含まれる文字板と同系色の背景色を有するガラス基板と、
非点灯時には前記文字板の背景色と同系色であるが、所定の電気信号に応答して点灯した時には前記文字板とは異系色で発光する表示セグメントと、
前記文字板に形成された中抜意匠に向けて所定の光源からの光を透過させる、前記ガラス基板の一部に形成された透過窓と、
を有することを特徴とするディジタル表示装置。
【発明の詳細な説明】
【０００１】
【発明の属する技術分野】
本発明は、文字板に形成された所定の意匠を回動する指針にて指示することにより所定のアナログ表示を行うアナログ表示部と、所定の表示セグメントに電気信号を与えることによりこの表示セグメントが点灯して所定のディジタル表示を行うディジタル表示部とを備えたアナログディジタル混載メータ及びこれに用いられるディジタル表示装置に関する。
【０００２】
【従来の技術】
近年、ほとんどの車載メータ等においては、文字板に形成されたスピード等を示す意匠を指針にて指示することによりスピード等のアナログ表示を行うアナログ表示部と、数字を示す表示セグメントを駆動させて走行距離等のディジタル表示を行う平板状のディジタル表示部とを備えたアナログディジタル混載メータが採用されている。
【０００３】
例えば、図６の正面図に示すように、上記アナログディジタル混載メータとしての車載メータのスピード部９０では、黒色ベースの文字板９０１に形成されたスピードを示す意匠や目盛り（不図示）が、指針９０１ａにて指示されることにより、現在のスピードがアナログ表示される。また、文字板９０１が一部切り欠かれて形成された文字板窓の背面に配置された液晶表示装置９０２の表示セグメントにより、走行距離が数字や文字等にてディジタル表示される。なお、このようなアナログディジタル混載メータは、下記特許文献１及び特許文献２でも示されるように周知である。
【０００４】
【特許文献１】
特開平１１−１０８７００号公報
【特許文献２】
実開平３−５２６２０号公報
【０００５】
【発明が解決しようとする課題】
ところが、上記従来のアナログディジタル混載メータでは、一般的に、文字板９０１は黒色系で印刷されているのに対して、液晶表示装置９０２の表面は灰色系である。このため、アナログディジタル混載メータ中で、液晶表示装置９０２等で構成されるディジタル表示部が目立って違和感が生じる。また、アナログ表示部は回動する指針９０１ａにより立体感があるが、平板状の液晶表示装置９０２等で構成されるディジタル表示部は立体感に乏しく、この差異により、ディジタル表示部が目立って、更に違和感が生じる。このため、従来のアナログディジタル混載メータは、高級感に欠けるものであった。
【０００６】
よって本発明は、上述した現状に鑑み、アナログディジタル混載メータ中のディジタル表示部による違和感を除去し、高級感のあるアナログディジタル混載メータを提供することを課題としている。
【０００７】
【課題を解決するための手段】
上記課題を解決するためになされた請求項１記載のアナログディジタル混載メータは、文字板と、この文字板に形成された所定の意匠を回動する指針にて指示することにより所定のアナログ表示を行うアナログ表示部と、所定の表示セグメントに電気信号を与えることによりこの表示セグメントが点灯して所定のディジタル表示を行う平板状のディジタル表示部と、を備えたアナログディジタル混載メータであって、前記ディジタル表示部の背景色を前記文字板の色と同系色にした、ことを特徴とする。
【０００８】
請求項１記載の発明によれば、アナログディジタル混載メータに含まれるディジタル表示部の背景色を文字板の色と同系色にしたので、平板状のディジタル表示部がメータ中で目立ちにくくなる。
【０００９】
上記課題を解決するためになされた請求項２記載のアナログディジタル混載メータは、請求項１記載のアナログディジタル混載メータにおいて、前記ディジタル表示部の背景色及び前記文字板は共に、黒色系であり、前記ディジタル表示部及び前記文字板の前面には、表ガラスとしての黒色系のスモークガラスが覆設されている、ことを特徴とする。
【００１０】
請求項２記載の発明によれば、ディジタル表示部の背景色及び文字板は共に、黒色系であり、ディジタル表示部及び文字板の前面には、表ガラスとしての黒色系のスモークガラスが覆設されるので、ブラックフェース化されて、平板状のディジタル表示部が一層目立ちにくくなる。
【００１１】
上記課題を解決するためになされた請求項３記載のアナログディジタル混載メータは、請求項１又は２記載のアナログディジタル混載メータにおいて、前記ディジタル表示部は、非点灯時は前記背景色と同系色であるが、点灯時には前記背景色とは異系色で発光する、前記表示セグメントとしてのバー意匠を有する、ことを特徴とする。
【００１２】
請求項３記載の発明によれば、ディジタル表示部は、非点灯時は背景色と同系色であるが、点灯時には背景色とは異系色で発光するバー意匠を有するので、バー意匠非点灯時には上記のようにディジタル表示部が目立ちにくくなる共に、バー意匠点灯時にはディジタル表示部にもアナログ表示部と同様の立体感が生じて違和感を与えることがなくなる。
【００１３】
上記課題を解決するためになされた請求項４記載のアナログディジタル混載メータは、請求項３記載のアナログディジタル混載メータにおいて、前記文字板には、前記バー意匠に関連する中抜意匠が形成され、前記ディジタル表示部には、この表示部の背面に配置された光源からの光を前記中抜意匠に向けて透過させる透過窓が設けられている、ことを特徴とする。
【００１４】
請求項４記載の発明によれば、文字板にはバー意匠に関連する中抜意匠が形成され、ディジタル表示部にはこの表示部の背面に配置された光源からの光を中抜意匠に向けて透過させる透過窓が設けられているので、バー意匠に関連する中抜意匠にも立体感が生じる。
【００１５】
上記課題を解決するためになされた請求項５記載のアナログディジタル混載メータは、請求項３又は４記載のアナログディジタル混載メータにおいて、前記文字板と前記ディジタル表示部の表面との間には、わずかな隙間が形成されている、ことを特徴とする。
【００１６】
請求項５記載の発明によれば、文字板とディジタル表示部の表面との間には、わずかな隙間が形成されているので、表示セグメント及び中抜意匠により顕著に立体感が生じる。
【００１７】
上記課題を解決するためになされた請求項６記載のディジタル表示装置は、アナログディジタル混載メータに用いられるディジタル表示装置であって、前記メータに含まれる文字板と同系色の背景色を有するガラス基板と、非点灯時には前記文字板の背景色と同系色であるが、所定の電気信号に応答して点灯した時には前記文字板とは異系色で発光する表示セグメントと、前記文字板に形成された中抜意匠に向けて所定の光源からの光を透過させる、前記ガラス基板の一部に形成された透過窓と、を有することを特徴とする。
【００１８】
請求項６記載の発明によれば、アナログディジタル混載メータに含まれる文字板と同系色の背景色を有するガラス基板により、混載メータ中でディジタル表示装置を目立ちにくくさせる。また、文字板とは異系色で発光する表示セグメントと、文字板に形成された中抜意匠に向けて所定の光源からの光を透過させる透過窓とにより、ディジタル表示部にもアナログ表示部と同様の立体感を生じさせる。
【００１９】
【発明の実施の形態】
以下、本発明の実施の形態を図面に基づいて説明する。
図１は、本発明のアナログディジタル混載メータの一例としてのコンビネーションメータの分解斜視図である。コンビネーションメータは、車載され、図１に示すように、メータ本体１、導光板２、拡散板３、ＬＣＤ（Ｌｉｑｕｉｄ  Ｃｒｙｓｔａｌ  Ｄｉｓｐｌａｙ）４、文字板５、見返し６、指針７及び表ガラス８を含んで構成される。上記メータ本体１には、まず導光板２及び拡散板３が装着された後、その上からＬＣＤ４が取り付けられる。更にその上に、文字板５、見返し６及び表ガラス８がこの順に取り付けられる。この際、指針７は図示しないムーブメントの回転軸に取り付けられる。
【００２０】
メータ本体１は、例えば、樹脂製であり、横長の皿状をしている。このメータ本体１の前面には、スピード部１０、ＬＣＤ収容部１１、１２、及びＡＴ部１３等が形成されている。スピード部１０は、楕円形の皿状をしており、その中央部には筒状部１４が形成されている。このスピード部１０は、請求項中のアナログ表示部に対応する。図示しないが、筒状部１４の背面には、指針を回動させるムーブメントが配置されおり、その回転軸が筒状部１４に覆われている。この筒状部１４を周回するように複数のＬＥＤ（Ｌｉｇｈｔ  Ｅｍｉｔｔｉｎｇ  Ｄｉｏｄｅ）１０ａが配列されると共にリング状の壁１０ｂが立設されている。
【００２１】
メータ本体１のＬＣＤ収容部１１、１２、及びＡＴ部１３はいずれも、これらに収容されるＬＣＤ４１、４２及び導光板２の形状に応じた四角形状又はかぎ型形状をしている。メータ本体１の周縁部或いは側面部には、見返し６や表ガラス８が取り付けられるときに使用される嵌合部１６やこのメータがインストルメントパネルに取り付けられるときに利用される取付片１５、１７が設けられている。なお、メータ本体１の背面には、ここでは図示しないムーブメントや電子部品類を実装した基板が取り付けられている。更に、その背面には、裏カバーが覆設されている。ＬＣＤ収容部１１については、図２において再度説明を加える。
【００２２】
導光板２は、「Ｐ」、「Ｒ」、「Ｎ」、「Ｄ」、「Ｓ」、「Ｂ」等で表されるギアポジションに対応して、かぎ型をしている。導光板２は、例えば、導光性のあるアクリル樹脂製である。この導光板２は、基板状に配列された図示しないＬＥＤからの光を導光して、右側文字板５２に形成されたポジション意匠５２ｂを背面から照明する。
【００２３】
拡散板３は、ＬＥＤからの出射光により、文字板５０、５１、５２やＬＣＤ４１、４２を背面から効果的に照明するためのもので、例えば、白濁色の樹脂製である。拡散板３は、中央文字板５０の形状に対応した拡散板中央部３０、並びにＬＣＤ４１及び４２の形状にそれぞれ対応した拡散板左部及び拡散板右部が連結されたような形状をしている。拡散板中央部３０の中央部には、上記筒上部１４に対応した中央孔３０ａが穿設されている。
【００２４】
ＬＣＤ４は、液晶表示デバイスであり、詳しくは、正方形に近いＬＣＤ４１及び矩形のＬＣＤ４２から構成される。ＬＣＤ４１には燃費や燃料残量が表示され、ＬＣＤ４２には累積走行距離等が表示される。これらＬＣＤ４の背景色は、文字板５１〜５２の色と同系色である黒色をしている。ＬＣＤ４については、図２以降でＬＣＤ４１を用いて説明を加える。
【００２５】
文字板５は、例えば、透明生地の薄板状のポリカーボネイト製であり、中央文字板５０、それぞれ分離形成された左側文字板５１及び右側文字板５２から構成されている。中央文字板５０は、アナログタイプであり、その中央部には、指針の回転軸部が挿通される中央孔５０ａが穿設され、その周辺部には、スピードを数字や目盛りで示す意匠５０ｂが形成されている。また、左側文字板５１は、ＬＣＤ４１の燃費や燃料残量の表示エレメントに対応した形状の開口部５１ａ、文字やマーク等が形成された意匠５１ｂが形成されている。そして、右側文字板５２には、ＬＣＤ４２の表示エレメントに対応した形状の開口部５２ａ、各ギアポジションを示す「Ｐ」、「Ｒ」、「Ｎ」、「Ｄ」、「Ｓ」、「Ｂ」等の意匠が形成されている。各文字板５０、５１、５２は、上記それぞれの意匠を中抜きにして、黒色印刷が施されている。文字板５については、図２以降で文字板５１を用いて説明を加える。
【００２６】
見返し６は、例えば、黒色系の樹脂製であり、文字板５０、５１、５２の形状にそれぞれ対応した開口部６０、６１、６２を有する横長の筒状をしている。また、この見返し６の側面部には、上記メータ本体１の取付片１５、１７と共にこのメータがインストルメントパネルに取り付けられるときに利用される取付片６４や嵌合部１６に嵌合される嵌合爪６５が設けられている。
【００２７】
指針７は、その指針軸部が上記ムーブメントの回転軸に挿通されて、ムーブメントの回転軸の回転にともなって、中央文字板５０に形成された所定の意匠５０ｂを指示する。
【００２８】
表ガラス８は、例えば、横長の樹脂製の黒色系のスモークガラスである。表ガラス８は、このメータの前面をブラックフェース化して高級感を高めるのにも役立つ。また、この表ガラス８の側面部には、見返し６に取り付けられるときに利用される複数のロック片８６が設けられている。
【００２９】
次に、図２〜図４を用いて、本発明のアナログディジタル混載メータ及びディジタル表示装置の構成を説明する。本発明は、例えば、図１のコンビネーションメータのメータ左側部に適用されているものとする。図２は、図１のコンビネーションメータのメータ左側部の分解斜視図である。図３は、図１のコンビネーションメータのメータ左側部の正面図である。図４は、図３のＸＸ線断面図である。なお、図２の斜視図においては、ＬＣＤ４１の下側に取り付けられる拡散板３及び文字板５１の上側に取り付けられる見返し６は省略しており、図３の正面図においては、見返し６及び表ガラス８は省略している。また、図２〜図４中、共通する部分には、同一の符号を付し、重複する説明は省略する。
【００３０】
図２〜図４に示すように、メータ本体１のメータ左側部には、ＬＣＤ４１を収容するための、四角形皿状のＬＣＤ収容部１１が形成されている。ＬＣＤ収容部１１の底面には、基板１０１上に配列されたＬＥＤＬ１〜Ｌ８にそれぞれ対応するＬＥＤ窓が穿設されている。ＬＣＤ収容部１１の側壁は、図４中上方に向かって徐々に開口するような傾斜壁になっている。
【００３１】
上記ＬＥＤＬ１は透過部４１ａ及び中抜意匠５１ａに対応し、ＬＥＤＬ８は透過部４１ｂ及び中抜意匠５１ｂに対応するように配置されている。また、ＬＥＤＬ３、Ｌ２、Ｌ４及びＬ６はバー意匠４１ｃに対応し、ＬＥＤＬ５及びＬ７はバー意匠４１ｄに対応するように配置されている。これらＬＥＤＬ１〜Ｌ８は、ＬＣＤ４１のバックライトとして機能するものである。
【００３２】
ＬＣＤ収容部１１の一開口辺（図２中、下側開口辺）近傍にはＬＣＤ４１のオス端子４１ｅが挿入されるメス端子１１ｄ（図４参照）が設けられており、ＬＣＤ収容部１１の他開口辺（図２中、上側及び左側開口辺）近傍にはこの収容部１１に取り付けられるＬＣＤ４１の二辺に係合する複数のロック片１１ｅ１、１１ｅ２が設けられている。また、メータ本体１の前面には、文字板５１に形成されたここでは図示しない各意匠を照明するための各ＬＥＤを収容するＬＥＤ収容部１２ａ、１２ｂが形成されている。
【００３３】
また、ＬＣＤ４１は、正方形に近い形状をした平板状の液晶表示デバイスである。ＬＣＤ４１の表示原理は周知のデバイスと同様であるが、このＬＣＤ４１は上記文字板５１等と同系色の背景色、例えば、透過率の低い黒色の背景色を有する２枚のガラス基板（特に、図４参照）にて形作られている点は特有である。２枚のガラス基板には、バー意匠４１ｃ、４１ｄを形成する複数の表示セグメントが挟持されている。表示セグメントは、オス端子４１ｅに電気接続されており、このオス端子４１ｅに供給される所定の電気信号に応答して点灯又は発光する。すなわち、所定の電気信号に応答して、バー意匠４１ｃ、４１ｄを構成する表示セグメントが連続的に点灯又は発光して、所定の値を示す。バー意匠４１ｃ、４１ｄは、非点灯時はガラス基板と同系色であるが、点灯時には背景色とは異系色、例えば、薄白色や薄青色で発光する。
【００３４】
ＬＣＤ４１には、文字板５１に形成された中抜意匠５１ａ及び５１ｂに向けてそれぞれ、拡散板３を介して与えられるＬＥＤＬ１及びＬ８からの出射光を透過させる透過窓４１ａ及び４１ｂも形成されている。透過窓４１ａ及び４１ｂは、中抜意匠５１ａ及び５１ｂに対応した形状をしている。透過窓４１ａ及び４１ｂの黒色系であるが、ガラス基板上の他の部位よりも透過率が高くなっている。このような構成のＬＣＤ４１をアナログディジタル混載メータに用いることにより、メータ中でディジタル表示部が目立ちにくくなると共に、ディジタル表示部にもアナログ表示部と同様の立体感が生じさせることが可能になる。したがって、このＬＣＤ４１を用いることにより、非常に高級感のあるアナログディジタル混載メータを提供することが可能となる。なお、ＬＣＤ４１は、請求項中のディジタル表示装置に対応する。ディジタル表示装置としては、ＬＣＤに替えて、周知のＶＦＤ（蛍光表示管）を採用してもよい。
【００３５】
また、文字板５１は、透明生地のポリカーボネイト製シートの中抜意匠５１ａ、５１ｂに相当する部分が薄く着色又は中抜きされたうえで全体が黒色印刷されている。中抜意匠５１ａは上記バー意匠４１ｃに関連し、中抜意匠５１ｂは上記バー意匠４１ｄに関連するものである。文字板５１の中央部には、上記バー意匠４１ｃ、４１ｄを同時に囲むような、四分の一円状の開口部５１ｃも形成されている。この文字板５１がメータ本体１に取り付けられた際には、文字板５１とＬＣＤ４１との間には、図４に示すような隙間Ｓが形成される。この隙間Ｓは、中抜意匠５１ａ、５１ｂやバー意匠４１ｂ、４１ｄによる立体感をより顕著するために役立つ。なお、文字板５１には、方向指示や各種ワーニング等の意匠も形成されているが、ここでは説明を省略する。また、この文字板５１の前面に覆設される表ガラス８も黒色系のスモークガラスである。
【００３６】
更に、図５を用いると共に再度図４を参照しつつ、本発明のアナログディジタル混載メータの作用効果について説明する。図４は上述の通りであり、図５はイグニッションオン後のメータ左側部の状態を示す正面図である。
【００３７】
まず、イグニッションスイッチがオンされる前には、全ＬＥＤは未点灯であるので、メータ前面はブラックフェース化されて視認される。特に、文字板５１は黒色ベースであり、ＬＣＤ４１の背景色も黒色であり、更に表ガラス８がスモーク化されているので、ＬＣＤ４１が配置されていることは全くわからない。したがって、メータ中のディジタル表示部による違和感が除去される。なお、ここでは図示しないスピード部等のＬＣＤが配置されていない他の部位の前面もブラックフェース化されて視認される。
【００３８】
また、イグニッションスイッチがオンされた後には、図４に示すように、ＬＥＤＬ３、Ｌ５及びＬ８等が点灯する。例えば、ＬＥＤＬ３及びＬ５からの出射光Ｒ３及びＲ５はそれぞれ、拡散板３にて適度に拡散された後、ＬＣＤ４１上のバー意匠４１ｃ及び４１ｄの背面付近を照明する。バー意匠４１ｃは、未走行中であれば未点灯であり、走行中であれば瞬時燃費に対応するバーが上記色で点灯する。バー意匠４１ｄは、走行中又は未走行中に拘わらず、燃料残量に対応するバーが上記色で点灯する。これら点灯光は表ガラス８を通過して、図４の上方に位置するドライバ等のアイレンジに向かう。また、ＬＥＤＬ８からの出射光Ｒ８は、拡散板３にて適度に拡散された後、ＬＣＤ４１上の透過部４１ｂを透過して、文字板５上の中抜意匠５１ｂを背面から照明する。この照明光もまた表ガラス８を通過して、同様にドライバ等のアイレンジに向かう。なお、ここに図示していない他のＬＥＤからの出射光も同様の作用を呈する。そうすると、図５に示すように、黒色の中で光輝するバー意匠４１ｃ、４１ｄや中抜意匠５１ａ、５１ｂは、ここには図示しないアナログ表示部において光輝する指針と同様の立体感を呈する。すなわち、ディジタル表示部にもアナログ表示部と同様の立体感が生じる。勿論、光輝している部位以外は黒色系であるので、図５に示すように、ディジタル表示部による違和感は全くない。
【００３９】
このように、本発明の実施形態によれば、アナログディジタル混載メータ中のディジタル表示部による違和感を除去し、高級感のあるアナログディジタル混載メータを提供することができるようになる。
【００４０】
なお、上記実施形態ではメータ左側部を例示したが、本発明はこれに限定されるものではない。例えば、本発明はメータ右側部にも同様に適用可能であるし、その他の部位にも同様に適用可能である。また、本発明はメータ中で一カ所のみならず、複数箇所にも同時に適用可能である。また、本発明は上記実施形態で示したようなコンビネーションメータ以外のメータや、車載されないメータにも適用可能である。
【００４１】
【発明の効果】
以上説明したように、請求項１記載の発明によれば、アナログディジタル混載メータに含まれるディジタル表示部の背景色を文字板の色と同系色にしたので、平板状のディジタル表示部がメータ中で目立ちにくくなる。したがって、混載メータ中のディジタル表示部による違和感が除去され、高級感のあるアナログディジタル混載メータを提供できる。
【００４２】
請求項２記載の発明によれば、ディジタル表示部の背景色及び文字板は共に、黒色系であり、ディジタル表示部及び文字板の前面には、表ガラスとしての黒色系のスモークガラスが覆設されるので、ブラックフェース化されて、平板状のディジタル表示部が一層目立ちにくくなる。したがって、より高級感のあるアナログディジタル混載メータを提供できる。
【００４３】
請求項３記載の発明によれば、ディジタル表示部は、非点灯時は背景色と同系色であるが、点灯時には背景色とは異系色で発光するバー意匠を有するので、バー意匠非点灯時には上記のようにディジタル表示部が目立ちにくくなる共に、バー意匠点灯時にはディジタル表示部にもアナログ表示部と同様の立体感が生じて違和感を与えることがなくなる。したがって、より高級感のあるアナログディジタル混載メータを提供できる。
【００４４】
請求項４記載の発明によれば、文字板にはバー意匠に関連する中抜意匠が形成され、ディジタル表示部にはこの表示部の背面に配置された光源からの光を中抜意匠に向けて透過させる透過窓が設けられているので、バー意匠に関連する中抜意匠にも立体感が生じる。したがって、更に高級感のあるアナログディジタル混載メータを提供できる。
【００４５】
請求項５記載の発明によれば、文字板とディジタル表示部の表面との間には、わずかな隙間が形成されているので、表示セグメント及び中抜意匠により顕著に立体感が生じる。したがって、更に一層高級感のあるアナログディジタル混載メータを提供できる。
【００４６】
請求項６記載の発明によれば、アナログディジタル混載メータに含まれる文字板と同系色の背景色を有するガラス基板により、混載メータ中でディジタル表示装置を目立ちにくくさせる。また、文字板とは異系色で発光する表示セグメントと、文字板に形成された中抜意匠に向けて所定の光源からの光を透過させる透過窓とにより、ディジタル表示部にもアナログ表示部と同様の立体感を生じさせる。これらにより、非常に高級感のあるアナログディジタル混載メータを提供することが可能となる。
【図面の簡単な説明】
【図１】本発明のアナログディジタル混載メータの一例としてのコンビネーションメータの分解斜視図である。
【図２】図１のコンビネーションメータのメータ左側部の分解斜視図である。
【図３】図１のコンビネーションメータのメータ左側部の正面図である。
【図４】図３のＸＸ線断面図である。
【図５】イグニッションオン後のメータ左側部の状態を示す正面図である。
【図６】従来のアナログディジタル混載メータの正面図である。
【符号の説明】
１  メータ本体
２  導光板
３  拡散板
４  ＬＣＤ
５  文字板
６  見返し
７  指針
８  表ガラス
１１  ＬＣＤ収容部
４１  ＬＣＤ（ディジタル表示部）
５１  左側文字板（文字板）
４１ａ、４１ｂ  透過部
４１ｃ、４１ｄ  バー意匠
５１ａ、５１ｂ  中抜意匠
５１ｃ  開口部
Ｌ１〜Ｌ８  ＬＥＤ
【図１】
2004333362.tif 000003
【図２】
2004333362.tif 000004
【図３】
2004333362.tif 000005
【図４】
2004333362.tif 000006
【図５】
2004333362.tif 000007
【図６】
2004333362.tif 000008
【手続補正書】
【提出日】平成15年6月3日(2003.6.3)
【手続補正１】
【補正対象書類名】図面
【補正対象項目名】図２
【補正方法】変更
【補正の内容】
【図２】
2004333362.tif 000009